(57)【要約】      （修正有）【課題】無線リソースを効率的に利用し、移動局ＵＥにおける処理負荷の増加を防ぎつつ、ファントムセルにおける通信規制を実現する。【解決手段】無線基地局ｅＮＢ＃Ａは、複数のファントムセル＃１〜＃１４からなるファントムセル群のうち規制対象のファントムセル＃６/＃７/＃９/＃１２のカバレッジエリアを管理するように構成されており、規制対象のファントムセル＃６/＃７/＃９/＃１２に在圏する移動局ＵＥ、或いは、規制対象のファントムセル＃６/＃７/＃９/＃１２のカバレッジエリアに対応するマクロセル＃Ａに在圏する移動局ＵＥからの通信開始要求信号を拒絶するように構成されている。【選択図】図１
2014060505.tif 000002
【特許請求の範囲】
【請求項１】
複数のファントムセルからなるファントムセル群と、該ファントムセル群のカバレッジエリアに少なくとも一部で重なる或いは隣接するカバレッジエリアを有するマクロセルとを具備する移動通信システムであって、
前記ファントムセル群のうち規制対象のファントムセルのカバレッジエリアを管理するように構成されており、
前記規制対象のファントムセルに在圏する移動局、或いは、該規制対象のファントムセルのカバレッジエリアに対応するマクロセルに在圏する移動局からの通信開始要求信号を拒絶するように構成されていることを特徴とする移動通信システム。
【請求項２】
複数のファントムセルからなるファントムセル群と、該ファントムセル群のカバレッジエリアに少なくとも一部で重なる或いは隣接するカバレッジエリアを有するマクロセルとを具備する移動通信システムで用いられる無線基地局であって、
前記ファントムセル群のうち規制対象のファントムセルのカバレッジエリアを管理するように構成されている管理部と、
前記規制対象のファントムセルに在圏する移動局、或いは、該規制対象のファントムセルのカバレッジエリアに相当するマクロセルに在圏する移動局からの通信開始要求信号を拒絶するように構成されている判定部とを具備することを特徴とする無線基地局。
【請求項３】
前記判定部は、前記規制対象のファントムセルに在圏する移動局、或いは、該規制対象のファントムセルのカバレッジエリアに対応するマクロセルに在圏する移動局からの通信開始要求信号であっても、緊急呼、優先呼又は着信呼に係る通信開始要求信号については拒絶しないように構成されていることを特徴とする請求項２に記載の無線基地局。
【請求項４】
前記移動局に対して、前記ファントムセル或いは該ファントムセルのカバレッジエリアに対応するマクロセルに在圏中或いは通信中である場合に該ファントムセルの識別情報を前記通信開始要求信号に付与するべきか否かについて示す付与指示情報を送信するように構成されている送信部を具備しており、
前記判定部は、前記通信開始要求信号に付与されている前記ファントムセルの識別情報に基づいて、該通信開始要求信号を拒絶するか否かについて判定するように構成されていることを特徴とする請求項２又は３に記載の無線基地局。
【請求項５】
前記送信部は、前記マクロセルを介して、前記移動局に対して、前記付与指示情報を送信するように構成されていることを特徴とする請求項４に記載の無線基地局。
【請求項６】
前記送信部は、報知情報又は個別信号を用いて、前記移動局に対して、前記付与指示情報を送信するように構成されていることを特徴とする請求項４に記載の無線基地局。
【請求項７】
複数のファントムセルらなるファントムセル群と、該ファントムセル群のカバレッジエリアに少なくとも一部で重なる或いは隣接するカバレッジエリアを有するマクロセルとを具備する移動通信システムで用いられる移動局であって、
前記マクロセルから、報知情報又は個別信号を介して、前記ファントムセル或いは該ファントムセルのカバレッジエリアに対応するマクロセルに在圏中或いは通信中である場合に該ファントムセルの識別情報を通信開始要求信号に付与するべきか否かについて示す付与指示情報を受信するように構成されている受信部と、
前記付与指示情報に基づいて、前記ファントムセル或いは前記マクロセルを介して、前記ファントムセルの識別情報を付与した通信開始要求信号を送信するように構成されている送信部とを具備することを特徴とする移動局。
【発明の詳細な説明】
【技術分野】
【０００１】
本発明は、移動通信システム、無線基地局及び移動局に関する。
【背景技術】
【０００２】
ＬＴＥ（Ｌｏｎｇ  Ｔｅｒｍ  Ｅｖｏｌｕｔｉｏｎ）方式において、特定セルにおける通信を規制するために、無線基地局ｅＮＢが、規制対象のセル毎の報知情報を用いて、ＡＣＢ（Ａｃｃｅｓｓ  Ｃｏｎｔｒｏｌ  Ｂａｒｒｉｎｇ）等の規制情報を送信し、移動局ＵＥが、かかる規制情報から算出される規制レベルに応じて、かかるセルにおける通信開始要求信号の送信を抑止する方法や、規制レベルに応じて、無線基地局ｅＮＢから通信拒絶信号を送信する方法が知られている。
【先行技術文献】
【非特許文献】
【０００３】
【非特許文献１】３ＧＰＰ  ＴＳ３６.３３１
【非特許文献２】３ＧＰＰ  ＴＳ３６.３０４
【発明の概要】
【発明が解決しようとする課題】
【０００４】
ＬＴＥ方式では、通信容量対策として、多数のファントム（Ｐｈａｎｔｏｍ）セルと呼ばれる小セルを配置する構成についての検討が行われている。
【０００５】
かかるファントムセルの各々で報知情報を送信する場合、移動局ＵＥは、在圏中又は通信中のセルが切り替わる度に、かかる報知情報を用いて送信される規制情報に基づいて規制レベルを算出する必要がある。
【０００６】
したがって、無線リソースの効率的な利用の観点及び移動局ＵＥにおける処理負荷の観点から、かかるファントムセルの各々で報知情報を送信することは好ましくないと考えられる。
【０００７】
そこで、本発明は、上述の課題に鑑みてなされたものであり、無線リソースを効率的に利用し、移動局ＵＥにおける処理負荷の増加を防ぎつつ、ファントムセルにおける通信規制を実現することができる移動通信システム、無線基地局及び移動局を提供することを目的とする。
【課題を解決するための手段】
【０００８】
本発明の第１の特徴は、複数のファントムセルからなるファントムセル群と、該ファントムセル群のカバレッジエリアに少なくとも一部で重なる或いは隣接するカバレッジエリアを有するマクロセルとを具備する移動通信システムであって、前記ファントムセル群のうち規制対象のファントムセルのカバレッジエリアを管理するように構成されており、前記規制対象のファントムセルに在圏する移動局、或いは、該規制対象のファントムセルのカバレッジエリアに対応するマクロセルに在圏する移動局からの通信開始要求信号を拒絶するように構成されていることを要旨とする。
【０００９】
本発明の第２の特徴は、数のファントムセルからなるファントムセル群と、該ファントムセル群のカバレッジエリアに少なくとも一部で重なる或いは隣接するカバレッジエリアを有するマクロセルとを具備する移動通信システムで用いられる無線基地局であって、前記ファントムセル群のうち規制対象のファントムセルのカバレッジエリアを管理するように構成されている管理部と、前記規制対象のファントムセルに在圏する移動局、或いは、該規制対象のファントムセルのカバレッジエリアに相当するマクロセルに在圏する移動局からの通信開始要求信号を拒絶するように構成されている判定部とを具備することを要旨とする。
【００１０】
本発明の第３の特徴は、複数のファントムセルらなるファントムセル群と、該ファントムセル群のカバレッジエリアに少なくとも一部で重なる或いは隣接するカバレッジエリアを有するマクロセルとを具備する移動通信システムで用いられる移動局であって、前記マクロセルから、報知情報又は個別信号を介して、前記ファントムセル或いは該ファントムセルのカバレッジエリアに対応するマクロセルに在圏中或いは通信中である場合に該ファントムセルの識別情報を通信開始要求信号に付与するべきか否かについて示す付与指示情報を受信するように構成されている受信部と、前記付与指示情報に基づいて、前記ファントムセル或いは前記マクロセルを介して、前記ファントムセルの識別情報を付与した通信開始要求信号を送信するように構成されている送信部とを具備することを要旨とする。
【発明の効果】
【００１１】
以上説明したように、本発明によれば、無線リソースを効率的に利用し、移動局ＵＥにおける処理負荷の増加を防ぎつつ、ファントムセルにおける通信規制を実現することができる移動通信システム、無線基地局及び移動局を提供することができる。
【図面の簡単な説明】
【００１２】
【図１】本発明の第１の実施形態に係る移動通信システムの全体構成図である。
【図２】本発明の第１の実施形態に係る無線基地局ｅＮＢ＃Ａの機能ブロック図である。
【図３】本発明の第１の実施形態に係る移動局ＵＥの機能ブロック図である。
【図４】本発明の第１の実施形態に係る移動通信システムの動作を示すシーケンス図である。
【発明を実施するための形態】
【００１３】
（本発明の第１の実施形態に係る移動通信システム）
図１乃至図４を参照して、本発明の第１の実施形態に係る移動通信システムについて説明する。
【００１４】
図１に示すように、本実施形態に係る移動通信システムは、ＬＴＥ方式の移動通信システムであって、無線基地局ｅＮＢ＃Ａによって管理されているマクロセル＃Ａと、ファントムセル＃１〜＃１４とを具備している。
【００１５】
図１に示すように、マクロセル＃Ａのカバレッジエリア及びファントムセル＃１〜＃１４からなるファントムセル群のカバレッジエリアは、少なくとも一部で重なるように配置されている。
【００１６】
なお、ファントムセル＃１〜＃１４からなるファントムセル群のカバレッジエリアは、無線基地局ｅＮＢ＃Ａによって管理されていてもよいし、無線基地局ｅＮＢ＃Ａ以外の無線基地局ｅＮＢによって管理されていてもよい。また、ファントムセルは、マクロセルとは異なるセルであって、他の名称で呼ばれてもよい。
【００１７】
図２に示すように、無線基地局ｅＮＢ＃Ａは、管理部１１と、受信部１２と、判定部１３と、送信部１４とを具備している。
【００１８】
管理部１１は、複数のファントムセル＃１〜＃１４からなるファントムセル群のうち規制対象のファントムセルのカバレッジエリアを管理するように構成されている。
【００１９】
本実施形態では、管理部１１は、規制対象のファントムセルとして、ファントムセル＃６/＃７/９/＃１２を管理するように構成されている。
【００２０】
受信部１２は、移動局ＵＥや移動管理ノードＭＭＥ（Ｍｏｂｉｌｉｔｙ  Ｍａｎａｇｅｍｅｎｔ  Ｅｎｔｉｔｙ）やゲートウェイ装置Ｓ-ＧＷ等から各種信号を受信するように構成されている。
【００２１】
例えば、受信部１２は、移動局ＵＥから、通信開始要求信号を受信するように構成されている。
【００２２】
判定部１３は、移動局ＵＥからの通信開始要求信号を拒絶するか否かについて判定するように構成されている。
【００２３】
例えば、判定部１３は、規制対象のファントムセル＃６/＃７/９/＃１２に在圏する移動局ＵＥ、或いは、規制対象のファントムセル＃６/＃７/９/＃１２のカバレッジエリアに対応するマクロセル＃Ａに在圏する移動局ＵＥからの通信開始要求信号を拒絶すると判定するように構成されている。
【００２４】
ここで、判定部１３は、規制対象のファントムセル＃６/＃７/９/＃１２に在圏する移動局ＵＥ、或いは、規制対象のファントムセル＃６/＃７/９/＃１２のカバレッジエリアに対応するマクロセル＃Ａに在圏する移動局ＵＥからの通信開始要求信号であっても、緊急呼、優先呼又は着信呼に係る通信開始要求信号については拒絶しないように構成されていてもよい。
【００２５】
送信部１４は、移動局ＵＥや移動管理ノードＭＭＥやゲートウェイ装置Ｓ-ＧＷ等に対して各種信号を送信するように構成されている。
【００２６】
例えば、送信部１４は、移動局ＵＥに対して、ファントムセル＃１〜＃１４或いはファントムセル＃１〜＃１４のカバレッジエリアに対応するマクロセル＃Ａに在圏中或いは通信中（ＤＲＸ状態）である場合にファントムセルの識別情報を通信開始要求信号に付与するべきか否かについて示す付与指示情報を送信するように構成されている。
【００２７】
ここで、送信部１４は、マクロセル＃Ａを介して、移動局ＵＥに対して、上述の付与指示情報を送信するように構成されていてもよい。
【００２８】
また、送信部１４は、報知情報又は個別信号を用いて、移動局ＵＥに対して、上述の付与指示情報を送信するように構成されていてもよい。
【００２９】
なお、判定部１３は、受信部１２によって受信された通信開始要求信号に付与されているファントムセルの識別情報に基づいて、かかる通信開始要求信号を拒絶するか否かについて判定するように構成されていてもよい。
【００３０】
判定部１３が、移動局ＵＥからの通信開始要求信号を拒絶すると判定した場合、送信部１４は、移動局ＵＥに対して、通信拒絶信号を送信するように構成されていてもよい。
【００３１】
なお、管理部１１及び判定部１３の機能は、無線基地局ｅＮＢではなく、移動管理ノードＭＭＥに具備されていてもよい。
【００３２】
図３に示すように、移動局ＵＥは、受信部２１と、送信部２２とを具備している。
【００３３】
受信部２１は、無線基地局ｅＮＢ＃Ａ等から各種信号を受信するように構成されており、送信部２２は、無線基地局ｅＮＢ＃Ａ等に対して各種信号を送信するように構成されている。
【００３４】
例えば、受信部２１は、無線基地局ｅＮＢ＃Ａから、上述の付与指示情報を受信するように構成されている。
【００３５】
また、受信部２１は、所定タイミングにおいて、例えば、在圏中又は通信中（ＤＲＸ状態）のファントムセルにおいて所定信号を受信した場合に、マクロセル＃Ａから、上述の付与指示情報を受信するように構成されていてもよい。
【００３６】
さらに、受信部２１は、報知情報又は個別信号を介して、上述の付与指示情報を受信するように構成されていてもよい。
【００３７】
例えば、送信部２２は、受信部２１によって受信された付与指示情報に基づいて、複数のファントムセル＃１〜＃１４又はマクロセル＃Ａを介して、かかるファントムセルの識別情報を付与した通信開始要求信号を送信するように構成されている。
【００３８】
以下、図４を参照して、本実施形態に係る移動通信システムの動作について説明する。
【００３９】
図４に示すように、無線基地局ｅＮＢ＃Ａは、ステップＳ１００１において、マクロセル＃Ａに在圏中又は通信中の移動局ＵＥに対して、報知情報又は個別信号を用いて、上述の付与指示情報を送信する。
【００４０】
その後、移動局ＵＥは、ファントムセル＃６/＃７/９/＃１２において在圏中又は通信中（ＤＲＸ状態）の場合に、ステップＳ１０１１において、ファントムセル＃６/＃７/９/＃１２を介して、ファントムセル＃６/＃７/９/＃１２の識別情報（ＰＣＩやＣＧＩ等）を含む通信開始要求信号を送信する。
【００４１】
ステップＳ１０１２において、無線基地局ｅＮＢ＃Ａは、かかる通信開始要求信号に付与されているファントムセルの識別情報に基づいて、かかる通信開始要求信号を拒絶するか否かについて判定する。
【００４２】
無線基地局ｅＮＢ＃Ａは、かかる通信開始要求信号を拒絶すると判定した場合、ステップＳ１０１３において、移動局ＵＥに対して、通信拒絶信号を送信する。
【００４３】
本実施形態に係る移動通信システムによれば、無線基地局ｅＮＢや移動管理ノードＭＭＥ等が、規制対象のファントムセル＃６/＃７/９/＃１２のカバレッジエリアを管理しており、規制対象のファントムセル＃６/＃７/９/＃１２において在圏中又は通信中（ＤＲＸ状態）の移動局ＵＥからの通信開始要求信号を拒絶することができるように構成されているため、無線リソースを効率的に利用し、移動局ＵＥにおける処理負荷の増加を防ぎつつ、ファントムセル＃１〜＃１４における通信規制を実現することができる。
【００４４】
以上に述べた本実施形態の特徴は、以下のように表現されていてもよい。
【００４５】
本実施形態の第１の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムであって、ファントムセル群のうち規制対象のファントムセル＃６/＃７/９/＃１２のカバレッジエリアを管理するように構成されており、規制対象のファントムセル＃６/＃７/９/＃１２に在圏する移動局ＵＥ、或いは、規制対象のファントムセル＃６/＃７/９/＃１２のカバレッジエリアに対応するマクロセル＃Ａに在圏する移動局ＵＥからの通信開始要求信号を拒絶するように構成されていることを要旨とする。
【００４６】
本実施形態の第２の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムで用いられる無線基地局ｅＮＢ＃Ａであって、ファントムセル群のうち規制対象のファントムセル＃６/＃７/９/＃１２のカバレッジエリアを管理するように構成されている管理部１１と、規制対象のファントムセル＃６/＃７/９/＃１２に在圏する移動局ＵＥ、或いは、規制対象のファントムセル＃６/＃７/９/＃１２のカバレッジエリアに対応するマクロセル＃Ａに在圏する移動局ＵＥからの通信開始要求信号を拒絶するように構成されている判定部１３とを具備することを要旨とする。
【００４７】
本実施形態の第２の特徴において、判定部１３は、規制対象のファントムセル＃６/＃７/９/＃１２に在圏する移動局ＵＥ、或いは、規制対象のファントムセル＃６/＃７/９/＃１２のカバレッジエリアに対応するマクロセル＃Ａに在圏する移動局ＵＥからの通信開始要求信号であっても、緊急呼、優先呼又は着信呼に係る通信開始要求信号については拒絶しないように構成されていてもよい。
【００４８】
かかる構成によれば、ファントムセル＃１〜＃１４においても、緊急呼、優先呼又は着信呼については、通信規制対象から除外することができる。
【００４９】
本実施形態の第２の特徴において、上述の移動局ＵＥに対して、ファントムセル＃１〜＃１４或いはファントムセル＃１〜＃１４のカバレッジエリアに対応するマクロセル＃Ａに在圏中或いは通信中である場合にファントムセルの識別情報を通信開始要求信号に付与するべきか否かについて示す付与指示情報を送信するように構成されている送信部１４を具備しており、判定部３は、通信開始要求信号に付与されているファントムセルの識別情報に基づいて、通信開始要求信号を拒絶するか否かについて判定するように構成されていてもよい。
【００５０】
かかる構成によれば、無線基地局ｅＮＢは、受信した通信開始要求信号が、どのファントムセルからの通信開始要求信号であるかについて容易に判断することができる。
【００５１】
本実施形態の第２の特徴において、送信部１４は、マクロセル＃Ａを介して、上述の移動局ＵＥに対して、上述の付与指示情報を送信するように構成されていてもよい。
【００５２】
かかる構成によれば、ファントムセル＃１〜＃１４における無線リソースを有効に活用することができる。
【００５３】
本実施形態の第２の特徴において、送信部１４は、報知情報又は個別信号を用いて、上述の移動局ＵＥに対して、上述の付与指示情報を送信するように構成されていてもよい。
【００５４】
かかる構成によれば、上述の付与指示情報を確実に移動局ＵＥに対して通知することができる。
【００５５】
本実施形態の第３の特徴は、複数のファントムセル＃１〜＃１４からなるファントムセル群と、ファントムセル群のカバレッジエリアに少なくとも一部で重なる或いは隣接するカバレッジエリアを有するマクロセル＃Ａとを具備する移動通信システムで用いられる移動局ＵＥであって、マクロセル＃Ａから、報知情報又は個別信号を介して、ファントムセル＃１〜＃１４或いはファントムセル＃１〜＃１４のカバレッジエリアに対応するマクロセル＃Ａに在圏中或いは通信中である場合にファントムセルの識別情報を通信開始要求信号に付与するべきか否かについて示す付与指示情報を受信するように構成されている受信部２１と、上述の付与指示情報に基づいて、複数のファントムセル＃１〜＃１４或いはマクロセル＃Ａを介して、かかるファントムセルの識別情報を付与した通信開始要求信号を送信するように構成されている送信部２２とを具備することを要旨とする。
【００５６】
なお、上述の移動局ＵＥや無線基地局ｅＮＢ＃Ａの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ内に設けられていてもよい。また、かかる記憶媒体及びプロセッサは、ディスクリートコンポーネントとして移動局ＵＥや無線基地局ｅＮＢ＃Ａ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６０】
ｅＮＢ＃Ａ…無線基地局
ＵＥ…移動局
１１…管理部
１２、２１…受信部
１３…判定部
１４、２２…送信部
【図１】
2014060505.tif 000003
【図２】
2014060505.tif 000004
【図３】
2014060505.tif 000005
【図４】
2014060505.tif 000006